(57)【特許請求の範囲】
【請求項１】
光ディスクのコンテンツに記録されているボタン位置情報の中から、現在選択されている第１ボタンの位置を示す位置情報と、当該第１ボタンの位置から選択可能な移動先として関連付けられている第２ボタンの位置を示す位置情報とを取得する位置情報取得部と、
前記第１ボタンの位置から前記第２ボタンの位置へ移動する際に、その移動する方向に対応するボタンの操作が有効か否かを判断する移動方向判断部と、
前記有効と判断されたボタンの操作に対しては、当該第１ボタンの位置から当該第２ボタンの位置までの移動方向を選択可能な移動方向として決定する一方、前記有効ではないと判断された前記ボタンの操作に対しては、前記第１ボタンの位置から前記第２ボタンの位置までの移動方向を選択できない移動方向として決定する移動方向決定部と、
前記選択可能な移動方向として決定した移動方向を、表示装置に表示させる表示制御部と、を備え、
前記表示制御部は、
前記選択できない移動方向に対しては、前記第１のボタンの位置から前記第２のボタンの位置へ移動することができない旨を示す表示を、前記表示装置に表示させる
光ディスク表示装置。
【請求項２】
前記表示制御部は、
前記有効と判断されたボタンの操作を示すアイコンを前記第１ボタンの位置の近傍に配置して、前記決定された移動方向を前記表示装置に視覚的に表示させる
請求項１に記載の光ディスク表示装置。
【請求項３】
前記表示制御部は、
前記第１ボタンの位置の略中心から前記第２ボタンの位置の略中心までの移動方向を、前記表示装置に視覚的に表示させる
請求項１または２に記載の光ディスク表示装置。
【請求項４】
前記表示制御部は、
前記第１ボタンの位置の略中心から前記第２ボタンの位置の略中心までの移動方向を、ガイドラインを用いて前記表示装置に視覚的に表示させる
請求項１から３のいずれか１項に記載の光ディスク表示装置。
【請求項５】
前記ボタン位置情報は、複数の前記第２ボタンの位置を示す位置情報を含み、
前記表示制御部は、
複数の前記決定された移動方向を、前記表示装置に視覚的に表示させる
請求項１から４のいずれか１項に記載の光ディスク表示装置。
【請求項６】
現在選択されている前記第１ボタンの位置をハイライト表示する
請求項１から５のいずれか１項に記載の光ディスク表示装置。
【発明の詳細な説明】
【技術分野】
【０００１】
本発明の実施形態は、光ディスク表示装置に関する。
【背景技術】
【０００２】
近年、映像や音声がデジタルデータで記録された光ディスクを再生する光ディスク再生装置が普及している。光ディスク再生装置は、光ディスクに記録されている映像や音声を再生することにより、映画や音楽などの記録内容をテレビやモニタなどの表示装置に表示させるようになっている。
【０００３】
具体的には、ＤＶＤ−Ｖｉｄｅｏ（Digital Versatile Disk-Video）形式で光ディスク（例えば、ＤＶＤ（Digital Versatile Disk：登録商標））に記録された映像をＤＶＤ再生装置で再生する場合、ＤＶＤ再生装置は、映像や字幕などの記録情報をＤＶＤから読み出し、その読み出した映像をテレビなどの表示画面に表示させる。また、一般的なＤＶＤ再生装置は、映像に関連する動画データと字幕データを組み合わせて、映像を再生する際の再生方法を選択させるメニュー機能なども有している。このため、ＤＶＤ再生装置では、テレビなどの表示画面にメニュー機能などを表示させ、ユーザに任意の再生方法を選択させるようになっている（例えば、特許文献１参照）。
【０００４】
ところで、一般的なメニュー機能は、選択可能な項目を示すボタンと、その項目が選択されたことを示すハイライト表示によって構成されており、アプリケーションフォーマット（規格）に従って、制作者により定義される。したがって、ユーザは、制作者によって定義された任意の設定に基づいて、ハイライト表示されたボタンを移動させ、所望の項目を選択することにより、メニュー機能を構成する項目の選択や決定を行うことができる。
【先行技術文献】
【特許文献】
【０００５】
【特許文献１】特開２００１−３２６９０９号公報
【発明の概要】
【発明が解決しようとする課題】
【０００６】
一般的なＤＶＤ再生装置では、ＤＶＤ−Ｖｉｄｅｏ形式のＤＶＤにメニュー機能が定義されている場合、現在再生中または映像が表示されている状態において、次に再生または映像を表示させる選択可能な項目があれば、ユーザが選択可能なメニューの項目をテレビなどの表示画面にハイライト表示させるようになっている。
【０００７】
しかしながら、メニュー機能を構成する項目の設定は、制作者により様々である。また、メニュー機能は、映像としてコンテンツの一部を形成する。そのため、メニュー機能は、見た目も重要視される場合が多い。したがって、コンテンツによっては、メニュー機能を構成する項目の配置と、ユーザの操作に対応するハイライト表示の移動方向との関係が、分かり難いことがある。
【０００８】
すなわち、テレビなどの表示画面上において、現在選択されているボタンの位置から他のボタンの位置へハイライト表示を移動させることができるように見えるボタンの配置であっても、コンテンツの構成によっては、そのハイライト表示を移動させることができないことがある。そのため、表示画面上にはボタンが表示されているにもかかわらず、そのボタンを選択することができないので、ユーザは、違和感を覚えたり、選択することのできない無効な操作を繰り返すことがあった。
【課題を解決するための手段】
【０００９】
本実施形態に係る光ディスク表示装置は、光ディスクのコンテンツに記録されているボタン位置情報の中から、現在選択されている第１ボタンの位置を示す位置情報と、当該第１ボタンの位置から選択可能な移動先として関連付けられている第２ボタンの位置を示す位置情報とを取得する位置情報取得部と、前記第１ボタンの位置から前記第２ボタンの位置へ移動する際に、その移動する方向に対応するボタンの操作が有効か否かを判断する移動方向判断部と、前記有効と判断されたボタンの操作に対しては、当該第１ボタンの位置から当該第２ボタンの位置までの移動方向を選択可能な移動方向として決定する一方、前記有効ではないと判断された前記ボタンの操作に対しては、前記第１ボタンの位置から前記第２ボタンの位置までの移動方向を選択できない移動方向として決定する移動方向決定部と、前記選択可能な移動方向として決定した移動方向を、表示装置に表示させる表示制御部と、を備え、前記表示制御部は、前記選択できない移動方向に対しては、前記第１のボタンの位置から前記第２のボタンの位置へ移動することができない旨を示す表示を、前記表示装置に表示させる。
【図面の簡単な説明】
【００１０】
【図１】本実施形態に係る光ディスク表示システムの機能の概略構成を示した機能ブロック図。
【図２】本実施形態に係る移動方向判断部が、任意のボタンＡについて、ユーザ操作が有効か否かを判断する判断方法を示した説明図。
【図３】本実施形態に係る移動方向決定部が、任意のボタンＡについて、ユーザ操作が有効と判断された操作方向に対するボタンの移動方向を決定する移動方向決定方法を示した説明図。
【図４】本実施形態に係る表示制御部が、現在のボタンの位置であるボタンＡ（第１ボタン）の位置から第２ボタンの位置へ移動する場合のボタンの移動方向を示した表示例。
【図５】本実施形態に係る表示制御部が、ＤＶＤからボタンＡのボタン位置情報を取得して、そのボタンＡの位置情報からその中心を求める場合の説明図。
【図６】本実施形態に係る表示制御部が、ボタンＡの中心からボタンＣの中心まで、ガイドラインを引く場合の説明図。
【図７】本実施形態に係る光ディスク装置の構成を示すハードウエアブロック図。
【図８】本実施形態に係る光ディスク装置が、ボタンの移動方向を表示させる移動方向表示処理を示したフローチャート。
【図９】本実施形態に係る表示装置に表示されたＤＶＤの任意の表示画面例。
【図１０】本実施形態に係る表示装置に表示されたＤＶＤの任意の表示画面において、チャプターが選択された場合の表示画面例。
【図１１】本実施形態に係る表示装置に表示されたＤＶＤの任意の表示画面において、チャプターが選択された場合の表示画面例。
【図１２】本実施形態に係る表示装置に表示されたＤＶＤの任意の表示画面上で、ユーザが選択可能なユーザ操作の方向を示すアイコンを、チャプターに適用して表示させた場合の表示画面例。
【発明を実施するための形態】
【００１１】
以下、本実施形態に係る光ディスク表示システム３００について、添付図面を参照して説明する。
【００１２】
図１は、本実施形態に係る光ディスク表示システム３００の機能の概略構成を示した機能ブロック図である。
【００１３】
図１に示すように、光ディスク表示システム３００は、光ディスク装置（光ディスク表示装置）１００、表示装置２００を備えて構成されている。
【００１４】
光ディスク装置１００は、ＤＶＤ（Digital Versatile Disk：登録商標）やＣＤ（Compact Disk）などの光ディスクが記録している記録内容を再生したり、記録内容を表示する装置である。本実施形態では、光ディスクに記録されているデジタル画像などを表示することができればよく、例えば、ＤＶＤ−Ｖｉｄｅｏ形式で記録されたＤＶＤ−ＲＯＭ（Digital Versatile Disk Read Only Memory）やビデオＣＤ規格で記録されたＣＤ−ＲＯＭ（Compact Disk Read Only Memory）であればよい。なお、本実施形態では、一例として、ＤＶＤ−ＲＯＭ（以下、単にＤＶＤとも呼ぶ。）を適用した場合について説明する。また、光ディスク装置１００の詳細については後述する。
【００１５】
表示装置２００は、ＤＶＤにコンテンツとして記録されている映像、各種の操作画面、案内画面などをユーザインターフェースとして表示する機能を有している。この表示装置２００は、例えば、液晶ディスプレイ（ＬＣＤ：Liquid Crystal Display）などで構成される。なお、コンテンツとは、ＤＶＤに記録された内容であってユーザが表示装置２００などで観賞可能な情報のことをいい、例えば、映像、画像、音楽、文字またはこれらの組み合わせなどが該当する。
【００１６】
本実施形態では、ユーザは、ＤＶＤに記録されたコンテンツの一部を構成するボタンを表示装置２００の表示画面上で選択して決定することにより、そのボタンに対応した項目を選択して実行させることができる。
【００１７】
なお、本実施形態では、光ディスク装置１００と表示装置２００が別体で構成された光ディスク表示システム３００の形態で説明するが、これに限定されるものではない。例えば、光ディスク装置１００と表示装置２００が一体になったポータブルＤＶＤ再生装置であってもよく、また、車載用として表示部を備えたＤＶＤ再生装置であってもよい。
【００１８】
次に、光ディスク表示システム３００を構成する光ディスク装置１００の詳細について説明する。
【００１９】
図１に示す光ディスク装置１００は、位置情報取得部１１０、移動方向判断部１２０、移動方向決定部１３０、表示制御部１４０を備えて構成されている。
【００２０】
位置情報取得部１１０は、ＤＶＤのコンテンツに記録されているボタン位置情報の中から、現在選択されている第１ボタンの位置情報（第１ボタンの位置を示す位置情報）と、その第１ボタンの位置から選択可能な移動先として関連付けられている第２ボタンの位置情報（第２ボタンの位置を示す位置情報）を取得するようになっている。
【００２１】
例えば、任意のボタンとしてボタンＡ（第１ボタン）があった場合に、そのボタンＡが選択されると、そのボタンＡから次に選択可能なボタンＢ（第２ボタン）の位置情報を、ボタンＡの位置情報とともに取得する。ここで、ボタンＢに対応する第２ボタンは、１つに限定されるものではなく、ボタンＡの位置から複数の方向に移動することができる場合には、その複数の方向に位置するボタンの位置情報をそれぞれ取得する。
【００２２】
なお、初期状態のため第１ボタンが選択されていない場合には、光ディスク装置１００は、初期設定として、メニュー機能を構成するボタンの中で一番上位に表示されるボタンを自動的に選択するようになっている。
【００２３】
移動方向判断部１２０は、第１ボタンの位置から第２ボタンの位置へ移動する場合に、その移動方向に対応するボタンの操作が有効か否かを判断する機能を有している。ここで、移動方向判断部１２０の詳細な機能について、図面を用いて説明する。
【００２４】
図２は、本実施形態に係る移動方向判断部１２０が、任意のボタンＡ５００について、ユーザ操作が有効か否かを判断する判断方法を示した説明図である。なお、上述した第１ボタンをボタンＡ５００として説明する。
【００２５】
図２に示すように、移動方向判断部１２０は、位置情報取得部１１０で取得したボタンＡ５００の位置情報と、ボタンＡ５００の位置から選択可能な移動先である第２ボタンの位置情報から、第２ボタンを選択した場合のボタンが移動する方向に対応するユーザ操作（User Operation）の有効・無効を判断する。
【００２６】
例えば、選択可能な移動先として関連付けられている第２ボタンの位置情報が、紙面のボタンＡ５００の位置から見て下方向にある場合、移動方向判断部１２０は、ボタンＡ５００から下方向へのユーザ操作により、その下方向にある第２ボタンへ移動させることを有効と判断する。また、選択可能な移動先として関連付けられている第２ボタンの位置情報が、紙面のボタンＡ５００の位置から見て右方向にある場合、移動方向判断部１２０は、ボタンＡ５００から右方向へのユーザ操作により、その右方向にある第２ボタンへ移動させることを有効と判断する。
【００２７】
一方、選択可能な移動先として関連付けられている第２ボタンの位置情報が、紙面のボタンＡ５００の位置から見て存在しない場合、すなわち、ボタンＡ５００の上方向および左方向に選択可能な移動先として関連付けられている第２ボタンの位置情報がない場合には、移動方向判断部１２０は、ボタンＡ５００から上方向および左方向へのユーザ操作を無効と判断する。
【００２８】
このように、移動方向判断部１２０は、ボタンＡ５００から下方向および右方向へ移動するユーザ操作を有効と判断するとともに、ボタンＡ５００から上方向および左方向の移動するユーザ操作を無効と判断することができる。
【００２９】
なお、本実施形態では、十字キーを用いて上下左右の四方向への移動を許容する場合を想定しているが、これに限定されるものではない。例えば、右下左下右上左上をさらに付加し、八方向への移動を許容する方向キーを採用し、ユーザ操作の有効・無効を判断するようにしてもよい。
【００３０】
移動方向決定部１３０は、移動方向判断部１２０でユーザ操作が有効と判断された移動方向に対して、第１ボタンの位置情報と第２ボタンの位置情報とに基づいて、第１ボタンの位置から第２ボタンの位置までの移動方向を決定する機能を有している。ここで、移動方向決定部１３０の詳細な機能について、図面を用いて説明する。
【００３１】
図３は、本実施形態に係る移動方向決定部１３０が、任意のボタンＡ５００について、ユーザ操作が有効と判断された操作方向に対するボタンの移動方向を決定する移動方向決定方法を示した説明図である。
【００３２】
図３に示すように、紙面のボタンＡ５００から見て下方向にある第２ボタンをボタンＢ５１０とし、同様に、紙面のボタンＡ５００から見て右下方向にある第２ボタンをボタンＣ５２０とし、また、紙面のボタンＡ５００から見て上方向にあるボタンをボタンＤ５３０とし、また、紙面のボタンＡ５００から見て左方向にあるボタンをボタンＥ５４０として、各ボタンを表示装置２００（図１）に表示させている。
【００３３】
移動方向決定部１３０は、紙面のボタンＡ５００（第１ボタン）の位置からユーザ操作が有効と判断された操作方向に対して第２ボタンの位置する移動方向を決定するので、紙面のボタンＡ５００から見て下方向へのユーザ操作により、ボタンＡ５００の下方向に位置するボタンＢ５１０へハイライト表示を移動させる。また、移動方向決定部１３０は、紙面のボタンＡ５００から見て右方向へのユーザ操作により、ボタンＡ５００の右下に位置するボタンＣ５２０へハイライト表示を移動させる。なお、ユーザ操作によるボタンの選択は、ハイライト表示の移動によってユーザに認識させるようになっている。
【００３４】
すなわち、図３の場合、移動方向判断部１２０で、ボタンＡ５００のユーザ操作の方向として下方向と右方向のユーザ操作を有効と判断しているので、移動方向決定部１３０は、ボタンＡ５００から下方向へのユーザ操作により、ボタンＡ５００からそのボタンＡ５００の下方向に位置するボタンＢ５１０へハイライト表示の移動方向を割り当てて、ボタンの移動方向を決定する。また、ボタンＡ５００から右方向へのユーザ操作により、ボタンＡ５００からそのボタンＡ５００の右下に位置するボタンＣ５２０へハイライト表示の移動方向を割り当てて、ボタンの移動方向を決定する。なお、ボタンＤ５３０とボタンＥ５４０は、選択可能な移動先として関連付けられておらずユーザ操作が無効と判断されているので、移動方向決定部１３０は、上方向や左方向にユーザ操作がなされても、ハイライト表示を移動させないようになっている。
【００３５】
表示制御部１４０は、移動方向決定部１３０で決定された第２ボタンまでの移動方向を表示装置２００に視覚的に表示させる表示制御機能を有している。このため、表示制御部１４０は、第１ボタンから見た第２ボタンが位置する移動方向を、表示装置２００の表示画面上に表示させるようになっている。
【００３６】
図４は、本実施形態に係る表示制御部１４０が、現在のボタンの位置であるボタンＡ５００（第１ボタン）の位置から第２ボタンの位置へ移動する場合のボタンの移動方向を示した表示例である。
【００３７】
図４に示すように、表示制御部１４０は、現在ボタンが選択されているボタンＡ５００からボタンＣ５２０への移動経路を示すガイドライン６００と、移動先であるボタンＣ５２０へのユーザ操作の方向を示すアイコン６１０を、表示装置２００（図１）に表示させている。また、表示制御部１４０は、現在ボタンが選択されているボタンＡ５００から、ボタンＡ５００の下方向に位置するボタンＢ５１０へのユーザ操作の方向を示すアイコン６２０を、表示装置２００（図１）に表示させている。なお、ボタンＤ５３０とボタンＥ５４０は、選択可能な移動先として関連付けられていないので、選択可能なユーザ操作の方向を示したアイコンなどは何も表示されない。
【００３８】
ここで、図４に示したガイドライン６００を引く方法について説明する。
【００３９】
図５は、本実施形態に係る表示制御部１４０が、ＤＶＤからボタンＡ５００のボタン位置情報を取得して、そのボタンＡ５００の位置情報からその中心を求める場合の説明図である。
【００４０】
図５に示すように、ボタンＡ５００の領域は、（Ｘ、Ｙ）座標により表わされる。このため、ボタンＡ５００の領域１５０は、始点Ｐ（Ｘｐ、Ｙｐ）と、終点Ｑ（Ｘｑ、Ｙｑ）とで囲まれた長方形の領域で表示される。また、表示制御部１４０は、ボタンＡ５００の始点（Ｘｐ、Ｙｐ）と、終点Ｑ（Ｘｑ、Ｙｑ）を結んだ長方形の領域の中心を求める。同様に、表示制御部１４０は、ボタンＣ５２０（図４）の長方形の領域の中心も求める。
【００４１】
図６は、本実施形態に係る表示制御部１４０が、ボタンＡ５００の中心からボタンＣ５２０の中心まで、ガイドライン６００を引く場合の説明図である。
【００４２】
図６に示すように、表示制御部１４０は、ボタンＡ５００の中心とボタンＣ５２０の中心を結び、ボタンＡ５００から見たその線の方向を移動方向とする。表示制御部１４０は、ボタンＡ５００の中心からＸ軸およびＹ軸方向に線を延ばすとともに、ボタンＣ５２０の中心からＸ軸およびＹ軸方向に線を延ばす。表示制御部１４０は、Ｘ軸とＹ軸の交差した点（ａ）を結び、その点を含むＸ軸の線とＹ軸の線をガイドライン６００とする。なお、交差した点は、座標上２点（ａ，ｂ）存在するが、ユーザ操作が有効と判断された操作方向に基づいて、ガイドライン６００を引くこととする。
【００４３】
なお、ガイドライン６００の引き方は、これに限定されるものではなく、ユーザが任意に設定することができる。例えば、ガイドライン６００は直線ではなく、曲線であってもよい。なお、本実施形態は、ボタンの位置を示す位置情報が割り当てられたボタン位置情報を有していればボタンの領域を算出することができるので、ＤＶＤ−Ｖｉｄｅｏ形式などの形式や規格に限定されるものではない。
【００４４】
このように、本実施形態では、現在位置を示すボタンＡ５００（第１ボタン）の位置から、ユーザが次に選択することができる第２ボタンの位置まで、ボタンのユーザ操作と移動先を対応づけて表示装置２００の表示画面に表示させることができるので、ユーザは違和感なく所望の項目を示すボタンを選択し、決定することができる。したがって、ユーザは、所望の項目を示すボタンの選択を効率的に行うことができる。
【００４５】
次に、本実施形態に係る光ディスク装置１００の構成を示すハードウエアブロック図について説明する。
【００４６】
図７は、本実施形態に係る光ディスク装置１００の構成を示すハードウエアブロック図である。
【００４７】
図７に示すように、光ディスク装置１００は、ＣＰＵ（Central Processing Unit）１５０、ＲＯＭ（Read Only Memory）１５２、ＲＡＭ（Random Access Memory）１５４、操作部１５６、記憶部１５８、インターフェース部１６０、内部バス１６２を備えて構成されている。
【００４８】
ＣＰＵ１５０は、光ディスク装置１００の統括制御を行っており、ＲＯＭ１５２に格納されている各種プログラムや各種データをＲＡＭ１５４にロードしてそのプログラムを展開することにより、各種プログラムの機能を実現することができるようになっている。
【００４９】
ＲＡＭ１５４は、ワークエリア（作業用メモリ）として利用されるようになっている。ＲＯＭ１５２は、各種プログラムや各種データを格納するようになっている。ＲＯＭ１５２に格納されている各種プログラムには、図１の光ディスク装置１００に示した各機能を実現するためのプログラムが含まれる。
【００５０】
操作部１５６は、ユーザからの各種の操作（ユーザ操作）を受け付けて、ＣＰＵ１５０に通知する機能を有している。この操作部１５６は、例えば、光ディスク装置１００の操作や項目を選択するための操作信号を送信するリモートコントローラ（remote controller）や、ユーザが上下左右方向を選択する操作ボタンなどによって構成される。
【００５１】
記憶部１５８は、大容量不揮発の記憶装置であり、動画や静止画などの映像を保存したり、文字情報を保存することができる。本実施形態では、ＤＶＤが所定の挿入口に挿入されることにより記憶部を構成する。また、ハードディスク（hard Disk）に映像や文字などを格納することにより、記憶部１５８を構成することもできる。
【００５２】
インターフェース部１６０は、光ディスク装置１００と表示装置２００とを接続して、データの送受信を行う機能を有している。例えば、ＣＰＵ１５０がＤＶＤから映像や文字情報を読み出し、その読み出した映像や文字情報を表示装置２００に送信したり、または、メニュー機能を構成する各ボタンの位置情報やガイドライン６００の情報を、表示装置２００に送信する。
【００５３】
内部バス１６２は、光ディスク装置１００を統括制御するＣＰＵ１５０に接続されるとともに、各構成要素を相互に接続するためのバスである。
【００５４】
このような構成により、本実施形態では、光ディスク装置１００は、ＲＯＭ１５２に格納されているプログラムをＣＰＵ１５０が実行することにより、記憶部１５８を構成するＤＶＤから、そのＤＶＤのコンテンツとして記録されているボタン位置情報を取得して、ユーザが次に選択することができる項目を、ボタンのユーザ操作と移動方向とを対応づけて表示装置２００に表示させることができる。
【００５５】
次に、本実施形態に係る光ディスク表示システム３００の動作について説明する。
【００５６】
図８は、本実施形態に係る光ディスク装置１００が、ボタンの移動方向を表示させる移動方向表示処理を示したフローチャートである。図８において、Ｓに数字を付した符号は、シーケンス図の各ステップを示している。
【００５７】
まず、ステップＳ００１では、ＤＶＤが光ディスク装置１００に挿入されると、位置情報取得部１１０は、ＤＶＤのコンテンツに記録されているボタン位置情報の中から、現在選択されている第１ボタンの位置情報と、その第１ボタンの位置から選択可能な移動先として関連付けられている第２ボタンの位置情報を取得する。なお、初期状態として第１ボタンが選択されていない場合には、光ディスク装置１００は、初期設定として、メニュー機能を構成する項目の中で一番上位に表示される項目が選択される。
【００５８】
ステップＳ００３では、移動方向判断部１２０は、第１ボタンの位置から第２ボタンの位置へ移動する場合、その移動方向に対応するボタンのユーザ操作が有効か無効かを判断する。例えば、図２を参照すると、移動方向判断部１２０は、位置情報取得部１１０で取得したボタンＡ５００（第１ボタン）の位置情報と、ボタンＡ５００の位置から次に選択可能な移動先である第２ボタンの位置情報から、紙面の下方向へのユーザ操作と右方向へのユーザ操作を有効と判断する。
【００５９】
ステップＳ００５では、移動方向決定部１３０は、移動方向判断部１２０でユーザ操作が有効と判断された操作方向に対して、第１ボタンの位置情報と第２ボタンの位置情報とから、第１ボタンの位置から第２ボタンの位置への移動方向を決定する。図３を参照すると、移動方向決定部１３０は、紙面のボタンＡ５００から下方向への操作により、ボタンＡ５００の下方向に位置するボタンＢ５１０への移動に割り当てるとともに、紙面のボタンＡ５００から右方向への操作により、ボタンＡ５００の右下に位置するボタンＣ５２０への移動に割り当てて、ボタンの移動方向を決定する。なお、紙面のボタンＡ５００から見て上方向と左方向のユーザ操作は無効と判断されているため、上方向と左方向にユーザ操作を行っても、ハイライト表示は移動しない。
【００６０】
ステップＳ００７では、表示制御部１４０は、移動方向決定部１３０で決定された第２ボタンが位置する移動方向を、表示装置２００に視覚的に表示させる。図４を参照すると、表示制御部１４０は、現在のボタン位置のボタンＡ５００からボタンＣ５２０への移動経路を示すガイドライン６００と、移動先のボタンＣ５２０へのユーザ操作の方向を示すアイコン６１０を表示装置２００に表示させている。また、表示制御部１４０は、現在のボタン位置のボタンＡ５００から、ボタンＡ５００の下方向に位置するボタンＢ５１０へのユーザ操作の方向を示すアイコン６２０を、表示装置２００に表示させている。
【００６１】
以上説明したように、本実施形態では、光ディスク装置１００は、現在選択されているボタンＡ５００（第１ボタン）の位置から、ユーザが次に選択することができる第２ボタンの位置へ、ボタンのユーザ操作と移動方向を対応づけて表示装置２００の表示画面に表示させることができる。
【００６２】
これにより、ユーザは、表示装置２００の表示画面上で、違和感なく所望の項目を示すボタンを選択し、決定することができるので、ボタンの選択を効率的に行うことができる。
【００６３】
次に、表示装置２００に表示される表示例について説明する。
【００６４】
図９は、本実施形態に係る表示装置２００に表示されたＤＶＤの任意の表示画面例である。
【００６５】
図９に示すように、表示装置２００の表示画面には、メインメニューと、チャプター１、２、３、４および５が示されている。ここで、チャプターとは、映像シーンやある場面ごとにあらかじめ区切りを入れた、映像シーンの区切りのことである。
【００６６】
この表示例では、ユーザは、メインメニューやチャプター１から５を、任意に選択することができるものとする。そこで、ユーザは、操作部１５６（図７）を用いてチャプター１を選択したとする。
【００６７】
図１０は、本実施形態に係る表示装置２００に表示されたＤＶＤの任意の表示画面において、チャプター１が選択された場合の表示画面例である。
【００６８】
図１０に示すように、表示装置２００の表示画面には、チャプター１が丸印で囲まれて選択（ハイライト表示）されており、そのチャプター１から下方向に位置するメインメニュー、またはチャプター１の右方向に位置するチャプター２を選択することができることが、移動方向を用いて表示されている。
【００６９】
なお、チャプター４は、チャプター１の次には選択することができないことがあらかじめ定義されており、チャプター１から移動することができないことを示す「×」印で表示されている。ここで、ユーザは、ユーザ操作によりチャプター２を選択したとする。
【００７０】
図１１は、本実施形態に係る表示装置２００に表示されたＤＶＤの任意の表示画面において、チャプター２が選択された場合の表示画面例である。
【００７１】
図１１に示すように、表示装置２００の表示画面には、チャプター２が丸印で囲まれて選択（ハイライト表示）されており、そのチャプター２から次にユーザが選択可能なチャプターが、移動方向を用いて表示されている。
【００７２】
具体的には、ユーザは、チャプター２の左方向に位置するチャプター１か、チャプター２の右方向に位置するチャプター３か、またはチャプター２の左下方向に位置するチャプター４を選択することができることが、移動方向を用いて表示されている。次に、ユーザが選択可能なユーザ操作の方向を示すアイコンを、チャプター２に適用した場合について説明する。
【００７３】
図１２は、本実施形態に係る表示装置２００に表示されたＤＶＤの任意の表示画面上で、ユーザが選択可能なユーザ操作の方向を示すアイコンを、チャプター２に適用して表示させた場合の表示画面例である。
【００７４】
図１２に示すように、表示装置２００の表示画面には、チャプター２が丸印で囲まれて選択（ハイライト表示）されており、そのチャプター２からユーザ操作が可能な方向を、選択可能な移動方向（移動先）とともに表示されている。
【００７５】
具体的には、チャプター１が選択可能であることを示す左方向のアイコン６３０と、チャプター３が選択可能であることを示す右方向のアイコン６４０と、チャプター４が選択可能であることを示す下方向のアイコン６５０が、チャプター２の近傍に表示されている。なお、上方向には選択可能なチャプターがないため、アイコンは非表示（破線表示）となっている。
【００７６】
したがって、十字方向の矢印のアイコンとその先の移動方向を示す矢印により、下方向にユーザ操作を行うとチャプター４を選択し、右方向にユーザ操作を行うとチャプター３を選択し、また左方向にユーザ操作を行うとチャプター１を選択することができる。また、ユーザは、チャプター５を選択することができず、選択を示すハイライト表示をチャプター５へ移動させることができない。このように、本実施形態では、ユーザ操作によって選択可能なチャプターの移動方向を、ユーザに分かりやすく表示させることができる。
【００７７】
以上説明したように、本実施形態によれば、光ディスク装置１００は、現在選択されている第１ボタンの位置から次に選択可能な移動先として関連付けられている第２ボタンの位置に向けて、移動可能な移動方向やユーザ操作を示すアイコンを表示させることができるので、ユーザは、ボタンの選択を効率的に行うことができる。
【００７８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００７９】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８０】
１００  光ディスク装置（光ディスク表示装置）
１１０  位置情報取得部
１２０  移動方向判断部
１３０  移動方向決定部
１４０  表示制御部
１５６  操作部
１５８  記憶部
１６０  インターフェース部
１６２  内部バス
２００  表示装置
３００  光ディスク表示システム
５００  ボタンＡ
５１０  ボタンＢ
５２０  ボタンＣ
５３０  ボタンＤ
５４０  ボタンＥ
６００  ガイドライン
６１０  アイコン
６２０  アイコン
６３０  アイコン
６４０  アイコン
６５０  アイコン
【図１】
0005967942.tif 000002
【図２】
0005967942.tif 000003
【図３】
0005967942.tif 000004
【図４】
0005967942.tif 000005
【図５】
0005967942.tif 000006
【図６】
0005967942.tif 000007
【図７】
0005967942.tif 000008
【図８】
0005967942.tif 000009
【図９】
0005967942.tif 000010
【図１０】
0005967942.tif 000011
【図１１】
0005967942.tif 000012
【図１２】
0005967942.tif 000013